(57)【特許請求の範囲】
【請求項１】
コンピュータで読み取り可能なプログラムであって、
前記プログラムは、前記コンピュータを、
スピーカの使用環境毎に再生信号の出力特性が記憶された出力特性記憶手段と、
前記スピーカを含む当該スピーカの設置エリアの撮像データを取得する撮像データ取得手段と、
前記撮像データ取得手段により取得された撮像データに基づいて、前記スピーカの使用環境を特定する使用環境特定手段と、
前記使用環境特定手段により特定された使用環境に対応付けられて前記出力特性記憶手段に記憶されている出力特性を、前記スピーカから出力される再生信号の出力特性に決定する出力特性決定手段と、
を備えたオーディオコントローラとして機能させ、
前記撮像データ取得手段は、前記スピーカの背後にある壁の両側の境界を画角の両隅に合わせて撮像された前記スピーカの設置エリアの撮像データを、第一の撮像データとして取得し、
前記使用環境特定手段は、前記スピーカの使用環境として、前記第一の撮像データから前記スピーカの背後にある壁の幅と前記スピーカの幅との比率を求め、当該比率に基づいて前記スピーカの設置エリアの広さを特定する
ことを特徴とするコンピュータで読み取り可能なプログラム。
【請求項２】
請求項１に記載のコンピュータで読み取り可能なプログラムであって、
前記撮像データ取得手段は、前記スピーカの側方にある壁の両側の境界を画角の両隅に合わせて撮像された前記スピーカの設置エリアの撮像データを、第二の撮像データとしてさらに取得し、
前記使用環境特定手段は、前記スピーカの使用環境として、前記第二の撮像データから前記スピーカの側方にある壁の幅と前記スピーカの奥行きとの比率をさらに求め、当該比率および前記第一の撮像データから求めた前記比率に基づいて、前記スピーカの設置エリアの広さを特定する
ことを特徴とするコンピュータで読み取り可能なプログラム。
【請求項３】
請求項１に記載のコンピュータで読み取り可能なプログラムであって、
前記使用環境特定手段は、前記スピーカの使用環境として、前記第一の撮像データにおける前記スピーカの表示位置に基づいて、前記設置エリア内における前記スピーカの設置位置を特定する
ことを特徴とするコンピュータで読み取り可能なプログラム。
【請求項４】
請求項２に記載のコンピュータで読み取り可能なプログラムであって、
前記使用環境特定手段は、前記スピーカの使用環境として、前記第一の撮像データおよび前記第二の撮像データ各々における前記スピーカの表示位置に基づいて、前記設置エリア内における前記スピーカの設置位置を特定する
ことを特徴とするコンピュータで読み取り可能なプログラム。
【請求項５】
請求項１ないし４のいずれか一項に記載のコンピュータで読み取り可能なプログラムであって、
前記撮像データ取得手段は、前記コンピュータが備えるカメラ機能を利用して前記スピーカの設置エリアの撮像データを撮像し取得する
ことを特徴とするコンピュータで読み取り可能なプログラム。
【請求項６】
請求項１ないし５のいずれか一項に記載のコンピュータで読み取り可能なプログラムであって、
前記オーディオコントローラは、前記出力特性決定手段により特定された出力特性を所定のオーディオ機器に送信する出力特性送信手段をさらに備える
ことを特徴とするコンピュータで読み取り可能なプログラム。
【請求項７】
スピーカから出力される再生信号の出力特性を決定するオーディオコントローラであって、
前記スピーカの使用環境毎に再生信号の出力特性が記憶された出力特性記憶手段と、
前記スピーカを含む当該スピーカの設置エリアの撮像データを取得する撮像データ取得手段と、
前記撮像データ取得手段により取得された撮像データに基づいて、前記スピーカの使用環境を特定する使用環境特定手段と、
前記使用環境特定手段により特定された使用環境に対応付けられて前記出力特性記憶手段に記憶されている出力特性を、前記スピーカから出力される再生信号の出力特性に決定する出力特性決定手段と、
前記出力特性決定手段により特定された出力特性を所定のオーディオ機器に送信する出力特性送信手段と、を備え、
前記撮像データ取得手段は、前記スピーカの背後にある壁の両側の境界を画角の両隅に合わせて撮像された前記スピーカの設置エリアの撮像データを、第一の撮像データとして取得し、
前記使用環境特定手段は、前記スピーカの使用環境として、前記第一の撮像データから前記スピーカの背後にある壁の幅と前記スピーカの幅との比率を求め、当該比率に基づいて前記スピーカの設置エリアの広さを特定する
ことを特徴とするオーディオコントローラ。
【請求項８】
請求項７に記載のオーディオコントローラと、
オーディオ再生機能を有するワイヤレススピーカと、を備え、
前記オーディオコントローラの前記出力特性送信手段は、
前記出力特性決定手段により特定された出力特性を前記ワイヤレススピーカにワイヤレス送信し、
前記ワイヤレススピーカは、
前記オーディオコントローラよりワイヤレス送信された出力特性を受け付ける出力特性受付手段と、
前記出力特性受付手段により受け付けた出力特性を、当該ワイヤレススピーカから出力される楽曲データの再生信号の出力特性に設定する出力特性設定手段と、を備える
ことを特徴とするワイヤレスオーディオシステム。
【発明の詳細な説明】
【技術分野】
【０００１】
本発明は、オーディオ機器の出力特性を制御する技術に関する。
【背景技術】
【０００２】
特許文献１には、複数のグループに分類された複数のワイヤレススピーカを備え、グループ毎に異なる楽曲データを再生可能なワイヤレスオーディオシステムが開示されている。このワイヤレスオーディオシステムでは、グループ毎に、そのグループに属する複数のワイヤレススピーカがアービトレーションを実施して、これらのワイヤレススピーカのなかから一台のワイヤレススピーカを選出する。そして、選出されたワイヤレススピーカがグループリーダとなり、同じグループに属する複数のワイヤレススピーカに対する操作をユーザから受け付けて、これらのワイヤレススピーカにコントロール信号を送信する。このワイヤレスオーディオシステムによれば、例えば、複数のワイヤレススピーカを複数の部屋に設置し、同じ部屋に設置されたワイヤレススピーカを同じグループに設定することにより、部屋毎に異なる楽曲データを再生することができる。
【０００３】
ところで、一般に、楽曲データの再生信号の出力特性（音量レベル、音響特性、音場効果等）は、オーディオコントローラを介してユーザにより適切な出力特性に設定される。ここで、スピーカから出力される楽曲データの聴こえ方は、スピーカが設置される部屋の広さ、その部屋におけるスピーカの設置位置等のスピーカの使用環境に応じて変わってくる。このため、ユーザは、スピーカから出力される楽曲データを聴きながら適切な出力特性を探さなければならない。特に、特許文献１に記載のワイヤレスオーディオシステムでは、グループ毎にスピーカの使用環境が異なるため、ユーザがグループ毎に適切な出力特性を探さなければならず、煩雑である。
【０００４】
これに対して、特許文献２には、スピーカの使用環境にとって最適な音響（周波数）特性を自動で選択し適用することができる音響機器が開示されている。この音響機器は、チャンネル毎にスピーカからテスト信号を出力して、これをマイクで集音する。そして、集音データを周波数毎に分析して、各チャンネルの分析結果から最適な音響特性を選択している。
【先行技術文献】
【特許文献】
【０００５】
【特許文献１】米国特許第７９８７２９４号明細書
【特許文献２】特開２０１４−１５０４２９号公報
【発明の概要】
【発明が解決しようとする課題】
【０００６】
しかしながら、特許文献２に記載の音響装置では、テスト信号の再生中に楽曲データを再生することができず、すべてのチャンネルのテスト信号の再生が終了するまで楽曲データの再生を待たなければならない。
【０００７】
また、楽曲データの再生中に出力特性を変更することができない。このため、例えば、容易に移動可能なワイヤレススピーカを用いている場合等、特にスピーカの設置位置や設置部屋が頻繁に変更されるスピーカの使用環境では、使い勝手が悪いという問題がある。
【０００８】
本発明は上記事情に鑑みてなされたものであり、その目的は、楽曲データ再生中であるか否かを選ばず、より簡単な操作で、より効率的に楽曲データの出力特性を変更できる技術を提供することにある。
【課題を解決するための手段】
【０００９】
上記課題を解決するために、本発明では、スピーカの設置エリアの撮像データからスピーカの使用環境を特定する。そして、特定した使用環境に適した出力特性を選択し、この選択した出力特性を、スピーカから出力される楽曲データの出力特性に設定する。例えば、スピーカの背後にある壁の両側の境界を画角の両隅に合わせたスピーカの設置エリアの撮像データから、スピーカの背後にある壁の幅とスピーカの幅との比率を求め、この比率に基づいてスピーカの設置エリアの広さを特定し、これをスピーカの使用環境として利用してもよい。また、この撮像データにおけるスピーカの表示位置に基づいて、設置エリア内におけるスピーカの設置位置を特定し、これをスピーカの使用環境として利用してもよい。
【００１０】
例えば、本発明は、コンピュータで読み取り可能なプログラムであって、
前記プログラムは、前記コンピュータを、
スピーカの使用環境毎に再生信号の出力特性が記憶された出力特性記憶手段と、
前記スピーカを含む当該スピーカの設置エリアの撮像データを取得する撮像データ取得手段と、
前記撮像データ取得手段により取得された撮像データに基づいて、前記スピーカの使用環境を特定する使用環境特定手段と、
前記使用環境特定手段により特定された使用環境に対応付けられて前記出力特性記憶手段に記憶されている出力特性を、前記スピーカから出力される再生信号の出力特性に決定する出力特性決定手段と、
を備えたオーディオコントローラとして機能させ、
前記撮像データ取得手段は、前記スピーカの背後にある壁の両側の境界を画角の両隅に合わせて撮像された前記スピーカの設置エリアの撮像データを、第一の撮像データとして取得し、
前記使用環境特定手段は、前記スピーカの使用環境として、前記第一の撮像データから前記スピーカの背後にある壁の幅と前記スピーカの幅との比率を求め、当該比率に基づいて前記スピーカの設置エリアの広さを特定する。
【００１１】
ここで、前記使用環境特定手段は、前記スピーカの使用環境として、前記撮像データにおける前記スピーカの表示位置に基づいて、前記設置エリア内における前記スピーカの設置位置を特定してもよい。
【００１２】
また、前記撮像データ取得手段は、前記コンピュータが備えるカメラ機能を利用して前記スピーカの設置エリアの撮像データを撮像し取得するものでもよい。
【００１３】
また、前記出力特性決定手段により特定された出力特性を、オーディオ再生機能を有するワイヤレススピーカ等の所定のオーディオ機器に送信する出力特性送信手段をさらに備えていてもよい。
【発明の効果】
【００１４】
本発明では、スピーカの設置エリアの撮像データからスピーカの使用環境を特定し、特定した使用環境に適した出力特性をこのスピーカから出力される楽曲データの再生信号の出力特性に設定するので、ユーザは、スピーカの設置エリアを撮像するだけで、時間をかけることなく楽曲データの再生信号の出力特性を設定することができる。したがって、本発明によれば、楽曲データ再生中であるか否かを選ばず、より簡単な操作で、より効率的に楽曲データの出力特性を変更することができる。
【図面の簡単な説明】
【００１５】
【図１】図１は、本発明の一実施の形態に係るワイヤレスオーディオシステムの概略構成図である。
【図２】図２（Ａ）および図２（Ｂ）は、ワイヤレススピーカ１の設置部屋の撮像データからワイヤレススピーカ１の使用環境を特定する方法を説明するための図である。
【図３】図３は、ワイヤレススピーカ１の概略機能構成図である。
【図４】図４は、ワイヤレススピーカ１の動作を説明するためのフロー図である。
【図５】図５は、オーディオコントローラ２の概略機能構成図である。
【図６】図６は、出力特性記憶部２６の登録内容例を模式的に表した図である。
【図７】図７は、オーディオコントローラ２の動作を説明するためのフロー図である。
【発明を実施するための形態】
【００１６】
以下、本発明の一実施の形態について、図面を参照して説明する。
【００１７】
図１は、本実施の形態に係るワイヤレスオーディオシステムの概略構成図である。
【００１８】
図示するように、本実施の形態に係るワイヤレスオーディオシステムは、それぞれＩＤが付与された複数のワイヤレススピーカ１−１〜１−３（以下、単にワイヤレススピーカ１とも呼ぶ）と、カメラ機能を有する携帯端末であるオーディオコントローラ２と、ネットワーク５に接続されたメディアサーバ３およびアクセスポイント４と、を備えて構成されている。ここで、ワイヤレススピーカ１−１〜１−３は、それぞれ個別の部屋Ａ〜Ｃ号室に設置されているものとする。
【００１９】
ワイヤレススピーカ１は、アクセスポイント４を介してオーディオコントローラ２およびメディアサーバ３に接続されており、オーディオコントローラ２から受信した再生指示に従いメディアサーバ３から楽曲データを取得して再生出力する。また、オーディオコントローラ２から受信した出力設定指示に従い、楽曲データの再生信号の出力特性を設定する。
【００２０】
オーディオコントローラ２も、アクセスポイント４を介してワイヤレススピーカ１およびメディアサーバ３に接続されており、メディアサーバ３に格納されている楽曲データのなかから、ユーザによって選択された楽曲データの指定を含む再生指示を、楽曲データの出力先ワイヤレススピーカ１に送信する。また、オーディオコントローラ２は、ワイヤレススピーカ１の設置部屋の撮像データからワイヤレススピーカ１の使用環境を特定して、この使用環境に適した出力特性の指定を含む出力設定指示をワイヤレススピーカ１に送信する。
【００２１】
図２（Ａ）および図２（Ｂ）は、ワイヤレススピーカ１の設置部屋の撮像データからワイヤレススピーカ１の使用環境を特定する方法を説明するための図である。
【００２２】
本実施の形態では、ワイヤレススピーカ１の正面からワイヤレススピーカ１の設置部屋を撮像した第一の撮像データ、およびワイヤレススピーカ１の側面からワイヤレススピーカ１の設置部屋を撮像した第二の撮像データを用いて、ワイヤレススピーカ１の設置部屋の広さおよび設置位置をワイヤレススピーカ１の使用環境として特定している。
【００２３】
まず、ユーザは、オーディオコントローラ２のカメラ機能を利用して、図２（Ａ）に示すように、ワイヤレススピーカ１の背後にある壁６０とその両側の壁６１、６２との境界６０１、６０２を画角７０の両隅７０１、７０２に合わせて、ワイヤレススピーカ１の正面からワイヤレススピーカ１を撮像する。これにより、オーディオコントローラ２は第一の撮像データを取得する。ここで、ワイヤレススピーカ１の正面には、ワイヤレススピーカ１に固有のラベル１００が貼付されている。
【００２４】
オーディオコントローラ２は、第一の撮像データに画像認識処理を施してラベル１００を特定するとともに、このラベル１００が貼付されたワイヤレススピーカ１の輪郭を特定する。そして、特定した輪郭からワイヤレススピーカ１の幅（画素数）Ｔ１を検出し、第一の撮像データの幅（画素数）Ｗ１と検出したＴ１との比率Ｗ１／Ｔ１を算出する。それから、算出した比率Ｗ１／Ｔ１に基づいて、ワイヤレススピーカ１の設置部屋の幅のサイズとして、ワイヤレススピーカ１の背後にある壁６０の幅のサイズ（大・中・小）を特定する。例えば、比率Ｗ１／Ｔ１が１０以上ならば、ワイヤレススピーカ１の設置部屋の幅のサイズを「大」、１０未満５以上ならば、ワイヤレススピーカ１の設置部屋の幅のサイズを「中」、５未満ならば、ワイヤレススピーカ１の設置部屋の幅のサイズを「小」とする。また、第一の撮像データにおけるワイヤレススピーカ１の表示位置に基づいて、この設置部屋の幅に対するワイヤレススピーカ１の位置（中央・隅）を特定する。例えば、第一の撮像データを幅Ｗ１方向に４つのエリアに分割した場合に、ワイヤレススピーカ１が中央の２つのエリア内に存在するならば、設置部屋の幅に対するワイヤレススピーカ１の位置を「中央」、それ以外のエリアに存在するならば、設置部屋の幅に対するワイヤレススピーカ１の位置を「隅」とする。
【００２５】
つぎに、ユーザは、オーディオコントローラ２のカメラ機能を利用して、図２（Ｂ）に示すように、ワイヤレススピーカ１の側方にある壁６１とその両側の壁６３、６０との境界６３１、６０１を画角７０の両隅７０１、７０２に合わせて、ワイヤレススピーカ１を撮像する。これにより、オーディオコントローラ２は、第二の撮像データを取得する。ここで、ワイヤレススピーカ１の側面にもラベル１００が貼付されている。オーディオコントローラ２は、第二の撮像データに画像認識処理を施してラベル１００を特定するとともに、このラベル１００が貼付されたワイヤレススピーカ１の輪郭を特定する。そして、特定した輪郭からワイヤレススピーカ１の幅（画素数）Ｔ２を検出し、第二の撮像データの幅（画素数）Ｗ２と検出したＴ２との比率Ｗ２／Ｔ２を算出する。それから、算出した比率Ｗ２／Ｔ２に基づいて、ワイヤレススピーカ１の設置部屋の奥行きのサイズとして、ワイヤレススピーカ１の側方にある壁６１の幅のサイズ（大・中・小）を特定する。例えば、比率Ｗ２／Ｔ２が１０以上ならば、ワイヤレススピーカ１の設置部屋の奥行きのサイズを「大」、１０未満５以上ならば、ワイヤレススピーカ１の設置部屋の奥行きのサイズを「中」、５未満ならば、ワイヤレススピーカ１の設置部屋の奥行きのサイズを「小」とする。また、第二の撮像データにおけるワイヤレススピーカ１の表示位置に基づいて、この設置部屋の奥行きに対するワイヤレススピーカ１の位置（中央・隅）を特定する。例えば、第二の撮像データを幅Ｗ２方向に４つのエリアに分割した場合に、ワイヤレススピーカ１が中央の２つのエリア内に存在するならば、ワイヤレススピーカ１の設置部屋の奥行きに対する位置を「中央」、それ以外のエリアに存在するならば、ワイヤレススピーカ１の設置部屋の奥行きに対する位置を「隅」とする。
【００２６】
オーディオコントローラ２は、以上のようにして特定したワイヤレススピーカ１の設置部屋の幅および奥行きのサイズに基づいて、ワイヤレススピーカ１の設置部屋の広さを特定する。例えば、ワイヤレススピーカ１の設置部屋の広さを、幅および奥行きのサイズが両方ともに「大」ならば「大」とし、両方ともに「小」ならば「小」とし、それ以外ならば「中」とする。また、同様に、以上のようにして特定したワイヤレススピーカ１の、設置部屋の幅および奥行きに対する位置に基づいて、部屋内におけるワイヤレススピーカ１の設置位置を特定する。例えば、部屋内におけるワイヤレススピーカ１の設置位置を、設置部屋の幅および奥行きに対する位置が両方ともに「中央」ならば「中央」とし、それ以外ならば「隅」とする。
【００２７】
つぎに、本実施の形態に係るワイヤレスオーディオシステムのワイヤレススピーカ１およびオーディオコントローラ２の詳細について説明する。なお、メディアサーバ３およびアクセスポイント４には、既存のメディアサーバおよびアクセスポイントを利用できるので、その詳細な説明を省略している。
【００２８】
まず、ワイヤレススピーカ１について説明する。
【００２９】
図３は、ワイヤレススピーカ１の概略機能構成図である。この図に示すワイヤレススピーカ１の機能構成は、例えば、ＣＰＵと、メモリと、フラッシュメモリ等の補助記憶装置と、無線ＬＡＮアダプタ等の無線通信装置と、スピーカと、を備えたコンピュータにおいて、ＣＰＵが所定のプログラムを補助記憶装置からメモリ上にロードして実行することにより実現される。
【００３０】
図示するように、ワイヤレススピーカ１は、ワイヤレスネットワークインターフェース部１０と、指示受付部１１と、楽曲データ取得部１２と、楽曲データ記憶部１３と、楽曲データ再生部１４と、スピーカ部１５と、出力特性設定部１６と、を備えている。
【００３１】
ワイヤレスネットワークインターフェース部１０は、アクセスポイント４を介してオーディオコントローラ２と通信したり、ネットワーク５に接続されたメディアサーバ３と通信したりするためのインターフェースである。
【００３２】
指示受付部１１は、ワイヤレスネットワークインターフェース部１０を介してオーディオコントローラ２から、自ワイヤレススピーカ１のＩＤが付与された各種指示を受け付ける。そして、受け付けた指示が、楽曲データの指定を伴う再生指示ならば、この再生指示で指定されている楽曲データの指定を含む取得指示を楽曲データ取得部１２に渡す。また、受け付けた指示が、音量レベル、音響（周波数）特性、および音場効果の指定を含む出力設定指示ならば、この出力設定指示を出力特性設定部１６に渡す。
【００３３】
楽曲データ取得部１２は、指示受付部１１から取得指示を受け取ると、この取得指示で指定されている楽曲データの指定を含む楽曲データ要求を、ワイヤレスネットワークインターフェース部１０を介してメディアサーバ３に送信して、取得対象の楽曲データをメディアサーバ３から取得する。
【００３４】
楽曲データ記憶部１３は、楽曲データ取得部１２がメディアサーバ３から取得した楽曲データを記憶する。
【００３５】
楽曲データ再生部１４は、楽曲データ記憶部１３に記憶されている楽曲データを、出力特性設定部１６により設定された音量レベル、音響特性、および音場効果に従って再生し、スピーカ部１５から出力する。
【００３６】
出力特性設定部１６は、指示受付部１１から出力設定指示を受け取ると、この出力設定指示で指定されている音量レベル、音響特性、および音場効果を楽曲データ再生部１４に設定する。
【００３７】
図４は、ワイヤレススピーカ１の動作を説明するためのフロー図である。このフローは、ワイヤレスネットワークインターフェース部１０がオーディオコントローラ２からマルチキャスト送信された指示を受信することにより開始される。
【００３８】
まず、ワイヤレスネットワークインターフェース部１０は、受信した指示に自ワイヤレススピーカ１のＩＤが付与されているか否かを判断する（Ｓ１０１）。
【００３９】
自ワイヤレススピーカ１のＩＤが付与されていない場合は（Ｓ１０１でＮＯ）、この指示を破棄し（Ｓ１０２）、処理を終了する。
【００４０】
一方、自ワイヤレススピーカ１のＩＤが付与されている場合、この指示を指示受付部１１に渡す。これを受けて、指示受付部１１は、ワイヤレスネットワークインターフェース部１０から受け取った指示が再生指示であるか、それとも出力設定指示であるかを判断する（Ｓ１０３）。
【００４１】
ワイヤレスネットワークインターフェース部１０から受け取った指示が再生指示である場合（Ｓ１０３で「再生」）、指示受付部１１は、この再生指示で指定されている楽曲データの指定を含む取得指示を楽曲データ取得部１２に渡す。
【００４２】
楽曲データ取得部１２は、指示受付部１１から取得指示を受け取ると、ワイヤレスネットワークインターフェース部１０を介してメディアサーバ３に、この取得指示で指定されている楽曲データの指定を含む楽曲データ要求を送信する（Ｓ１０４）。そして、メディアサーバ３から楽曲データを受信したならば、これを楽曲データ記憶部１３に記憶する（Ｓ１０５）。これを受けて、楽曲データ再生部１４は、楽曲データ記憶部１３に記憶された楽曲データを、出力特性設定部１６により設定された音量レベル、音響特性、および音場効果に従って再生し、スピーカ部１５から出力する（Ｓ１０６）。
【００４３】
一方、ワイヤレスネットワークインターフェース部１０から受け取った指示が出力設定指示である場合（Ｓ１０３で「出力設定」）、この出力設定指示で指定されている音量レベル、音響特性、および音場効果を楽曲データ再生部１４に設定する（Ｓ１０７）。これにより、以降、楽曲データ再生部１４は、楽曲データ記憶部１３に記憶された楽曲データを、出力特性設定部１６により新たに設定された音量レベル、音響特性、および音場効果に従って再生し、スピーカ部１５から出力する。
【００４４】
つぎに、オーディオコントローラ２について説明する。
【００４５】
図５は、オーディオコントローラ２の概略機能構成図である。この図に示すオーディオコントローラ２の機能構成は、例えば、ＣＰＵと、メモリと、フラッシュメモリ等の補助記憶装置と、タッチパネル、デイスプレイ、ポインティングデバイス等の入出力装置と、無線ＬＡＮアダプタ等の無線通信装置と、カメラと、を備えたスマートホン、タブレットＰＣ等の携帯型コンピュータにおいて、ＣＰＵが所定のプログラムを補助記憶装置からメモリ上にロードして実行することにより実現される。
【００４６】
図示するように、オーディオコントローラ２は、ワイヤレスネットワークインターフェース部２０と、グラフィカルユーザインターフェース部２１と、楽曲リスト取得部２２と、再生指示送信部２３と、撮像データ取得部２４と、使用環境特定部２５と、出力特性記憶部２６と、出力特性決定部２７と、出力設定指示送信部２８と、を備えている。
【００４７】
ワイヤレスネットワークインターフェース部２０は、アクセスポイント４を介してワイヤレススピーカ１と通信したり、ネットワーク５に接続されたメディアサーバ３と通信したりするためのインターフェースである。
【００４８】
グラフィカルユーザインターフェース部２１は、情報を表示したり、ユーザから各種操作を受け付けたりするためのインターフェースである。
【００４９】
楽曲リスト取得部２２は、ワイヤレスネットワークインターフェース部２０を介してメディアサーバ３から、このメディアサーバ３に格納されている楽曲データの一覧である楽曲リストを取得し、取得した楽曲リストをグラフィカルユーザインターフェース部２１に表示する。
【００５０】
再生指示送信部２３は、再生対象の楽曲データおよび出力先ワイヤレススピーカ１のＩＤの指定を伴う再生指示をワイヤレスネットワークインターフェース部２０からマルチキャスト送信する。
【００５１】
撮像データ取得部２４は、オーディオコントローラ２のカメラ機能により撮像されたワイヤレススピーカ１の設置部屋の第一の撮像データ（図２（Ａ）参照）および第二の撮像データ（図２（Ｂ）参照）を取得する。
【００５２】
使用環境特定部２５は、撮像データ取得部２４により取得された第一、第二の撮像データを用いて、ワイヤレススピーカ１の設置部屋の広さおよびワイヤレススピーカ１の設置位置をワイヤレススピーカ１の使用環境として特定する。
【００５３】
出力特性記憶部２６には、ワイヤレススピーカ１毎に使用環境と出力特性との対応関係を示す情報が記憶されている。図６は、出力特性記憶部２６の登録内容例を模式的に表した図である。
【００５４】
図示するように、出力特性記憶部２６には、ワイヤレススピーカ１毎にテーブル２６０がワイヤレススピーカ１のＩＤに対応付けられて記憶されている。テーブル２６０には、ワイヤレススピーカ１の使用環境毎に、その使用環境に適した出力特性のレコード２６８が記憶されている。レコード２６８は、使用環境が登録されたフィールド２６１と、出力特性が登録されたフィールド２６２と、を有する。フィールド２６１は、ワイヤレススピーカ１の設置部屋の広さが登録されたサブフィールド２６３と、ワイヤレススピーカ１の設置位置が登録されたサブフィールド２６４と、を有する。フィールド２６２は、音量レベルが登録されたサブフィールド２６５と、音響特性（高音域、中音域および低音域各々の出力レベル）が登録されたサブフィールド２６６と、音場効果（チャンネル間の位相差の強弱）が登録されたサブフィールド２６７と、を有する。
【００５５】
出力特性決定部２７は、出力先ワイヤレススピーカ１のＩＤに対応付けられて出力特性記憶部２６に記憶されているテーブル２６０を参照して、使用環境特定部２５より特定された使用環境に対応付けられている出力特性を特定し、この出力特性を出力先ワイヤレススピーカ１の出力特性に決定する。
【００５６】
出力設定指示送信部２８は、出力特性決定部２７が決定した出力特性および出力先ワイヤレススピーカ１のＩＤの指定を伴う出力設定指示を、ワイヤレスネットワークインターフェース部２０からマルチキャスト送信する。
【００５７】
図７は、オーディオコントローラ２の動作を説明するためのフロー図である。このフローは、グラフィカルユーザインターフェース部２１がユーザから操作を受け付けることにより開始される。
【００５８】
まず、グラフィカルユーザインターフェース部２１は、ユーザから受け付けた操作内容を解析する（Ｓ２０１）。
【００５９】
グラフィカルユーザインターフェース部２１は、ユーザから受け付けた操作が楽曲リストの取得操作であるならば（Ｓ２０１の「取得操作」）、その旨を楽曲リスト取得部２２に通知する。
【００６０】
これを受けて、楽曲リスト取得部２２は、ワイヤレスネットワークインターフェース部２０を介してメディアサーバ３に楽曲リスト要求を送信する（Ｓ２０２）。それから、楽曲リスト取得部２２は、メディアサーバ３から、このメディアサーバ３に格納されている楽曲データの楽曲リストを取得して、取得した楽曲リストをグラフィカルユーザインターフェース部２１に表示する（Ｓ２０３）。
【００６１】
また、グラフィカルユーザインターフェース部２１は、ユーザから受け付けた操作が、再生対象の楽曲データおよび出力先ワイヤレススピーカ１のＩＤの指定を伴う再生操作ならば（Ｓ２０１で「再生操作」）、その旨を再生指示送信部２３に通知する。
【００６２】
これを受けて、再生指示送信部２３は、再生操作で指定された再生対象の楽曲データおよび出力先ワイヤレススピーカ１のＩＤの指定を伴う再生指示を生成する。そして、この再生指示を、ワイヤレスネットワークインターフェース部２０からマルチキャスト送信する（Ｓ２０４）。
【００６３】
また、グラフィカルユーザインターフェース部２１は、ユーザから受け付けた操作が、出力先ワイヤレススピーカ１のＩＤの指定を伴う出力設定操作ならば（Ｓ２０１で「出力設定操作」）、その旨を撮像データ取得部２４に通知する。
【００６４】
これを受けて、撮像データ取得部２４は、ユーザにオーディオコントローラ２のカメラ機能を使ってワイヤレススピーカ１の設置部屋を撮像させ、第一の撮像データ（図２（Ａ）参照）および第二の撮像データ（図２（Ｂ）参照）を取得する（Ｓ２０５）。そして、取得した第一、第二の撮像データを出力先ワイヤレススピーカ１のＩＤとともに使用環境特定部２５に渡す。
【００６５】
つぎに、使用環境特定部２５は、図２（Ａ）を用いて説明したように、撮像データ取得部２４から受け取った第一の撮像データを用いて、ワイヤレススピーカ１の設置部屋の幅のサイズ、およびワイヤレススピーカ１の設置部屋の幅に対する位置を特定する。同様に、図２（Ｂ）を用いて説明したように、撮像データ取得部２４から受け取った第二の撮像データを用いて、ワイヤレススピーカ１の設置部屋の奥行きのサイズ、およびワイヤレススピーカ１の設置部屋の奥行きに対する位置を特定する。そして、ワイヤレススピーカ１の使用環境として、ワイヤレススピーカ１の設置部屋の幅および奥行きのサイズに基づいて、ワイヤレススピーカ１の設置部屋の広さを特定するとともに、ワイヤレススピーカ１の設置部屋の幅および奥行きに対する位置に基づいて、部屋内におけるワイヤレススピーカ１の設置位置を特定する（Ｓ２０６）。それから、使用環境特定部２５は、以上のようにして特定したワイヤレススピーカ１の使用環境を、出力先ワイヤレススピーカ１のＩＤとともに出力特性決定部２７に渡す。
【００６６】
つぎに、出力特性決定部２７は、使用環境特定部２５より受け取った使用環境をキーとして、使用環境特定部２５より受け取った出力先ワイヤレススピーカ１のＩＤに対応付けられて出力特性記憶部２６に記憶されているテーブル２６０からレコード２６８を検索する。具体的には、使用環境特定部２５より受け取った使用環境に含まれているワイヤレススピーカ１の設置部屋の広さ、ワイヤレススピーカ１の設置位置がサブフィールド２６３、２６４に登録されているレコード２６８を検索する。そして、検索したレコード２６８のフィールド２６２に登録されている出力特性を出力先ワイヤレススピーカ１の出力特性に決定する（Ｓ２０７）。そして、決定した出力特性を出力先ワイヤレススピーカ１のＩＤとともに出力設定指示送信部２８に渡す。
【００６７】
つぎに、出力設定指示送信部２８は、出力特性決定部２７より受け取った出力特性および出力先ワイヤレススピーカ１のＩＤの指定を伴う出力設定指示を生成する。そして、この出力設定指示を、ワイヤレスネットワークインターフェース部２０からマルチキャスト送信する（Ｓ２０８）。
【００６８】
以上、本発明の一実施の形態について説明した。
【００６９】
本実施の形態では、ワイヤレススピーカ１の設置部屋の撮像データ（第一、第二の撮像データ）からワイヤレススピーカ１の使用環境を特定し、特定した使用環境に適した出力特性を、このワイヤレススピーカ１から出力される楽曲データの出力特性に設定する。このため、ユーザは、ワイヤレススピーカ１の設置部屋を撮像するだけで、楽曲データの出力特性を設定することができる。ここで、テスト信号等を用いることなく出力特性を決定するので、すべてのテスト信号の再生に時間を要する従来の技術と異なり、より短い時間で楽曲データの出力特性を設定することできる。したがって、本実施の形態によれば、より簡単な操作で、より効率的に楽曲データの出力特性を変更することが可能となる。
【００７０】
また、出力特性の決定にテスト信号等を用いないため、再生中の楽曲データの再生を停止することなく、この楽曲データの出力特性の設定を変更することができ、便利である。
【００７１】
なお、本発明は上記の実施の形態に限定されるものではなく、その要旨の範囲内で数々の変形が可能である。
【００７２】
例えば、上記の実施の形態において、オーディオコントローラ２は、図２（Ａ）に示すように、ユーザに、ワイヤレススピーカ１の背後にある壁６０とその両側の壁６１、６２との境界６０１、６０２を画角７０の両隅７０１、７０２に合わせて、ワイヤレススピーカ１を撮像させることにより、第一の撮像データを取得している。しかし、本発明はこれに限定されない。ユーザに、ユーザが楽曲を楽しみたいと考えているリスニングエリアの横方向幅の両端を画角７０の両隅７０１、７０２に合わせて、ワイヤレススピーカ１を撮像させることにより、第一の撮像データを取得してもよい。
【００７３】
同様に、オーディオコントローラ２は、図２（Ｂ）に示すように、ユーザに、ワイヤレススピーカ１の側方にある壁６１とその両側の壁６３、６０との境界６３１、６０１を画角７０の両隅７０１、７０２に合わせて、ワイヤレススピーカ１を撮像させることにより、第二の撮像データを取得している。しかし、本発明はこれに限定されない。ユーザに、ユーザが楽曲を楽しみたいと考えているリスニングエリアの奥行き方向の幅の両端を画角７０の両隅７０１、７０２に合わせて、ワイヤレススピーカ１を撮像させることにより、第二の撮像データを取得してもよい。
【００７４】
ワイヤレススピーカ１の背後および側方の少なくともいずれか一方に壁が存在しない場合、ユーザがその旨をオーディオコントローラ２に入力し、使用環境特定部２５が、ワイヤレススピーカ１の使用環境を例えば開放空間と特定するようにしてもよい。屋外等、さまざまなタイプの開放空間に適した出力特性をそれぞれ出力特性記憶部２６にあらかじめ格納しておけば、出力特性決定部２７は、使用環境特定部２５より特定された使用環境に対応付けられている出力特性を出力特性記憶部２６から特定することができる。
【００７５】
また、上記の実施の形態においては、ワイヤレススピーカ１の設置部屋の広さを部屋幅および部屋奥行きのサイズから決定しているが、床および天井と壁との境界を第一および第二の撮像データのいずれかに含めることによりさらに天井高さのサイズを特定し、部屋幅、部屋奥行きおよび天井高さのサイズからワイヤレススピーカ１の設置部屋の広さを特定するようにしてもよい。
【００７６】
また、上記の実施の形態において、第一の撮像データおよび第二の撮像データのいずれか一方を省略してもよい。この場合、単一の撮像データからワイヤレススピーカ１の使用環境を特定してもよいし、グラフィカルユーザインターフェース部２１を介してユーザから補助的な情報を受け付けることによりワイヤレススピーカ１の使用環境を特定してもよい。前者の場合、単一の撮像データにより特定されるワイヤレススピーカ１の設置部屋の幅あるいは奥行きのサイズがワイヤレススピーカ１の設置部屋の広さとなり、単一の撮像データにより特定されるワイヤレススピーカ１の設置部屋の幅あるいは奥行きに対する位置がワイヤレススピーカ１の設置位置となる。後者の場合、省略された撮像データから特定されるべき情報をユーザから受け付ける。
【００７７】
また、オーディオコントローラ２は、グラフィカルユーザインターフェース部２１に撮像データと画像認識処理の結果（ラベル１００の位置、ワイヤレススピーカ１の輪郭）とを重畳表示し、ユーザから、ラベル１００の位置、ワイヤレススピーカ１の輪郭の修正を受け付けるようにしてもよい。また、ユーザが、グラフィカルユーザインターフェース部２１に表示されたワイヤレススピーカ１の設置部屋の画像上において各壁境界を指定できるようにしてもよい。
【００７８】
また、上記の実施の形態において、オーディオコントローラ２は、出力先ワイヤレススピーカ１のＩＤを、グラフィカルユーザインターフェース部２１を介してユーザから受け付けているが、本発明はこれに限定されない。例えば、ワイヤレススピーカ１に固有のラベル１００として、または、このラベル１００とは別個に、ワイヤレススピーカ１に自ワイヤレススピーカ１のＩＤを表すＱＲコード（登録商標）を貼付し、これをオーディオコントローラ２のカメラで撮像することにより、ワイヤレススピーカ１のＩＤを取得するようにしてもよい。あるいは、オーディオコントローラ２およびワイヤレススピーカ１にＲＦＩＤ等の近距離無線通信機能を設け、ワイヤレススピーカ１がこの近距離無線通信を使って自ワイヤレススピーカ１のＩＤをオーディオコントローラ２に送信するようにしてもよい。
【００７９】
また、上記の実施の形態において、オーディオコントローラ２は、各ワイヤレススピーカ１−１〜１−３に各種指示をマルチキャスト送信しているが、マルチキャスト送信に代えて、例えば、ユニキャスト送信する構成としてもよい。
【００８０】
また、上記の実施の形態では、オーディオコントローラ２がワイヤレスネットワークを介してネットワーク５に接続されている場合を例にとり説明したが、オーディオコントローラ２は、ワイヤレスネットワークを介さないで、直接、ネットワーク５に接続されたものでもよい。また、オーディオコントローラ２は、アクセスポイント４を経由せずに、直接、ワイヤレススピーカ１に無線接続されていてもよい。
【００８１】
また、上記の実施の形態では、メディアサーバ３をネットワーク５に接続しているが、メディアサーバ３はワイヤレスネットワークに接続されていてもよい。また、メディアサーバ３は、オーディオコントローラ２に内蔵されていてもよい。なお、メディアサーバ３がオーディオコントローラ２に内蔵されている場合、ワイヤレススピーカ１は、オーディオコントローラ２から楽曲データを取得する。また、メディアサーバ３がいずれかのオーディオコントローラ２に内蔵されている場合、他のワイヤレススピーカ１は、メディアサーバ３が内蔵されたオーディオコントローラ２から楽曲データを取得する。
【００８２】
また、上記の実施の形態において、オーディオコントローラ２は、ワイヤレススピーカ１に指示を送信しているが、本発明はこれに限定されない。楽曲データを再生する機能を有する所定のオーディオ機器に指示を送信するものであればよい。
【符号の説明】
【００８３】
１、１−１〜１−３：ワイヤレススピーカ、  ２：オーディオコントローラ、  ３：メディアサーバ、  ４：アクセスポイント、  ５：ネットワーク、  １０：ワイヤレスネットワークインターフェース部、  １１：指示受付部、  １２：楽曲データ取得部、  １３：楽曲データ記憶部、  １４：楽曲データ再生部、  １５：スピーカ部、  １６：出力特性設定部、２０：ワイヤレスネットワークインターフェース部、  ２１：グラフィカルユーザインターフェース部、  ２２：楽曲リスト取得部、  ２３：再生指示送信部、  ２４：撮像データ取得部、  ２５：使用環境特定部、  ２６：出力特性記憶部  ２７：出力特性決定部、  ２８：出力設定指示送信部、  １００：ラベル
【図１】
0006625383.tif 000002
【図２】
0006625383.tif 000003
【図３】
0006625383.tif 000004
【図４】
0006625383.tif 000005
【図５】
0006625383.tif 000006
【図６】
0006625383.tif 000007
【図７】
0006625383.tif 000008